(57)【要約】【課題】入力された信号を高調波に変換するための回路構成が複雑化するのを抑制することが可能なスピーカ装置を提供する。【解決手段】このスピーカ装置１００は、入力された信号の低周波数帯域を通過させるためのローパスフィルタ回路１ａと、ローパスフィルタ回路１ａを通過した信号を高調波に変換するための高調波変換回路１ｂとを含む、１つの負帰還増幅回路１を備える。【選択図】図１
2009124452.tif 000002
【特許請求の範囲】
【請求項１】
入力された信号の低周波数帯域を通過させるための低域通過回路と、前記低域通過回路を通過した信号を高調波に変換するための高調波変換回路とを含む、１つの帰還型増幅回路を備える、スピーカ装置。
【請求項２】
前記１つの帰還型増幅回路は、１つの増幅部および帰還回路部を含み、
前記帰還回路部は、前記低域通過回路に対応する第１部分と、前記第１部分と並列接続され前記高調波変換回路に対応する第２部分とを含む、請求項１に記載のスピーカ装置。
【請求項３】
前記低域通過回路に対応する前記第１部分は、コンデンサおよび抵抗を含み、
前記高調波変換回路に対応する前記第２部分は、ダイオードを含み、
前記コンデンサ、前記抵抗および前記ダイオードは、前記１つの増幅部に対して並列接続されている、請求項２に記載のスピーカ装置。
【請求項４】
前記１つの帰還型増幅回路と直列接続されるとともに、前記１つの帰還型増幅回路により増幅された信号の高周波数帯域を通過させるための第１高域通過回路をさらに備える、請求項１〜３のいずれか１項に記載のスピーカ装置。
【請求項５】
前記入力された信号の高周波数帯域を通過させるための第２高域通過回路と、
前記第１高域通過回路および前記第２高域通過回路を通過した信号を合成するための合成回路とをさらに備え、
前記第２高域通過回路は、前記１つの帰還型増幅回路および前記第１高域通過回路と並列接続されるように構成されている、請求項４に記載のスピーカ装置。
【発明の詳細な説明】
【技術分野】
【０００１】
この発明は、スピーカ装置に関し、特に、低域通過回路および高調波変換回路を備えたスピーカ装置に関する。
【背景技術】
【０００２】
従来、低域通過回路および高調波変換回路を備えたスピーカ装置が知られている（たとえば、特許文献１〜５参照）。
【０００３】
上記特許文献１には、入力された信号の低域部分を通過させるためのフィルタ手段（低域通過回路）と、フィルタ手段を通過した信号の高調波を発生させるための高調波発生器（高調波変換回路）とを備えた低音強化手段が開示されている。この低音強化手段のフィルタ手段および高調波発生器は直列接続されている。また、入力された信号は、フィルタ手段を通過した後に高調波発生器により高調波に変換されるように構成されている。
【０００４】
また、上記特許文献２には、入力された信号の低域部分を通過させるための低域通過フィルタ（低域通過回路）と、低域通過フィルタを通過した信号の高調波を生成するための高調波生成手段（高調波変換回路）とを備えた低音増強装置が開示されている。この低音増強装置の低域通過フィルタおよび高調波生成手段は直列接続されている。また、入力された信号は、低域通過フィルタを通過した後に高調波生成手段により高調波に変換されるように構成されている。
【０００５】
また、上記特許文献３には、入力された信号の所定の帯域部分を通過させるための帯域通過フィルタ（低域通過回路）と、入力された周波数を２倍の周波数（高調波）に変換して出力するための周波数２倍シフト装置（高調波変換回路）とを備えたオーディオ装置が開示されている。このオーディオ装置の帯域通過フィルタおよび周波数２倍シフト装置は直列接続されている。また、入力された信号は、帯域通過フィルタを通過した後に、周波数２倍シフト装置により高調波に変換されるように構成されている。
【０００６】
また、上記特許文献４には、入力された信号の高域部分を除去するための高域除去回路（低域通過回路）と、入力された周波数を２倍の周波数（高調波）に変換して出力するための倍音回路部（高調波変換回路）とを備えた低音補償装置が開示されている。この低音補償装置の高域除去回路および倍音回路部は直列接続されている。また、入力された信号は、高域除去回路を通過した後に倍音回路部により高調波に変換されるように構成されている。
【０００７】
また、上記特許文献５には、入力された信号の高域部分を除去するための高域除去回路（低域通過回路）と、低周波数域を２倍の高調波に変換するための絶対値回路（高調波変換回路）とを備えた低音補償装置が開示されている。この低音補償装置の高域除去回路および絶対値回路は直列接続されている。また、入力された信号は、高域除去回路を通過した後に絶対値回路により高調波に変換されるように構成されている。
【０００８】
【特許文献１】特表２００２−５２４９９３号公報
【特許文献２】特開２００６−２７０６９８号公報
【特許文献３】特開平１１−２３４７８８号公報
【特許文献４】特開２００２−３１５０９０号公報
【特許文献５】特開２００２−３１５０９１号公報
【発明の開示】
【発明が解決しようとする課題】
【０００９】
しかしながら、上記特許文献１に記載の低音強化手段は、フィルタ手段と、高調波発生器とは別個の回路として構成されているとともに、フィルタ手段と、高調波発生器とは直列接続されているため、入力された信号を高調波に変換するための回路構成が複雑化するという問題点がある。
【００１０】
また、上記特許文献２に記載の低音増強装置では、低域通過フィルタと、高調波生成手段とは別個の回路として構成されているとともに、低域通過フィルタと、高調波生成手段とは直列接続されているため、入力された信号を高調波に変換するための回路構成が複雑化するという問題点がある。
【００１１】
また、上記特許文献３に記載のオーディオ装置では、帯域通過フィルタと、周波数２倍シフト装置とは別個の回路として構成されているとともに、帯域通過フィルタと、周波数２倍シフト装置とは直列接続されているため、入力された信号を高調波に変換するための回路構成が複雑化するという問題点がある。
【００１２】
また、上記特許文献４に記載の低音補償装置では、高域除去回路（低域通過回路）と、倍音回路部とは別個の回路として構成されているとともに、高域除去回路と、倍音回路部とは直列接続されているため、入力された信号を高調波に変換するための回路構成が複雑化するという問題点がある。
【００１３】
また、上記特許文献５に記載の低音補償装置では、高域除去回路（低域通過回路）と、絶対値回路とは別個の回路として構成されているとともに、高域除去回路と、絶対値回路とは直列接続されているため、入力された信号を高調波に変換するための回路構成が複雑化するという問題点がある。
【００１４】
この発明は、上記のような課題を解決するためになされたものであり、この発明の１つの目的は、入力された信号を高調波に変換するための回路構成が複雑化するのを抑制することが可能なスピーカ装置を提供することである。
【課題を解決するための手段および発明の効果】
【００１５】
この発明の一の局面によるスピーカ装置は、入力された信号の低周波数帯域を通過させるための低域通過回路と、低域通過回路を通過した信号を高調波に変換するための高調波変換回路とを含む、１つの帰還型増幅回路を備える。
【００１６】
この一の局面によるスピーカ装置では、上記のように、低域通過回路と、高調波変換回路とを含む、１つの帰還型増幅回路を備えることによって、低域通過回路と、高調波変換回路とを１つの回路として構成することができるので、入力された信号を高調波に変換するための回路構成を簡略化することができる。その結果、低域通過回路と、高調波変換回路との回路構成が複雑化するのを抑制することができる。
【００１７】
上記一の局面によるスピーカ装置において、好ましくは、１つの帰還型増幅回路は、１つの増幅部および帰還回路部を含み、帰還回路部は、低域通過回路に対応する第１部分と、第１部分と並列接続され高調波変換回路に対応する第２部分とを含む。このように構成すれば、低域通過回路に対応する第１部分と、高調波変換回路に対応する第２部分とを１つの回路として構成することができる。その結果、回路構成を簡略化することができる。
【００１８】
上記の場合において、好ましくは、低域通過回路に対応する第１部分は、コンデンサおよび抵抗を含み、高調波変換回路に対応する第２部分は、ダイオードを含み、コンデンサ、抵抗およびダイオードは、１つの増幅部に対して並列接続されている。このように構成すれば、１つの増幅部を低域通過回路に対応する第１部分と、高調波変換回路に対応する第２部分とに対して共通に用いることができるので、回路構成をより簡略化することができる。
【００１９】
上記一の局面によるスピーカ装置において、好ましくは、１つの帰還型増幅回路と直列接続されるとともに、１つの帰還型増幅回路により増幅された信号の高周波数帯域を通過させるための第１高域通過回路をさらに備える。このように構成すれば、低音を増強させるための周波数帯域の信号を出力させることができる。その結果、スピーカから出る音の低音域の出力を増強させることができる。
【００２０】
上記の場合において、好ましくは、入力された信号の高周波数帯域を通過させるための第２高域通過回路と、第１高域通過回路および第２高域通過回路を通過した信号を合成するための合成回路とをさらに備え、第２高域通過回路は、１つの帰還型増幅回路および第１高域通過回路と並列接続されるように構成されている。このように構成すれば、第１高域通過回路と、第２高域通過回路とを通過した信号を合成回路により合成して出力することにより、低音を増強させるための周波数帯域の信号を出力させることができる。その結果、スピーカから出る音の低音域の出力をより増強させることができる。
【発明を実施するための最良の形態】
【００２１】
以下、本発明を具体化した実施形態を図面に基づいて説明する。
【００２２】
図１は、本発明の一実施形態によるスピーカ装置のスピーカ装置による信号処理の流れを示すブロック図である。図２は、本発明の一実施形態による負帰還増幅回路を示す回路図である。まず、図１および図２を参照して、本発明の一実施形態によるスピーカ装置１００の構成について説明する。
【００２３】
本発明の一実施形態では、スピーカ装置１００は、図１に示すように、負帰還増幅回路１と、負帰還増幅回路１で増幅された信号の１００Ｈｚ以下を除去するための第１ハイパスフィルタ回路２と、入力された信号の２００Ｈｚ以下を除去するための第２ハイパスフィルタ回路３と、第１ハイパスフィルタ回路２および第２ハイパスフィルタ回路３から出力された信号を合成するための合成回路４と、合成回路４から出力された信号を増幅するためのパワーアンプ５と、パワーアンプ５から出力された信号を音に変換して出力するためのスピーカ６とから構成されている。なお、負帰還増幅回路１は、本発明の「帰還型増幅回路」の一例であり、第１ハイパスフィルタ回路２は、本発明の「第１高域通過回路」の一例であり、第２ハイパスフィルタ回路３は、本発明の「第２高域通過回路」の一例である。
【００２４】
また、本実施形態では、スピーカ装置１００の負帰還増幅回路１と、第１ハイパスフィルタ回路２と、合成回路４と、パワーアンプ５と、スピーカ６とは、直列接続されている。また、第２ハイパスフィルタ回路３は、負帰還増幅回路１および第１ハイパスフィルタ回路２に並列接続されている。
【００２５】
また、負帰還増幅回路１は、入力された信号の１００Ｈｚ以上を除去するためのローパスフィルタ回路１ａと、ローパスフィルタ回路１ａにより１００Ｈｚ以上が除去された信号を２倍および３倍の高調波に変換するための高調波変換回路１ｂとから構成されている。なお、ローパスフィルタ回路１ａは、本発明の「低域通過回路」の一例である。
【００２６】
また、本実施形態では、負帰還増幅回路１は、図２に示すように、帰還回路部１０と、コンデンサ１１ａ〜１１ｅと、抵抗１２ａ〜１２ｇと、入力された信号を増幅するためのオペアンプ１３と、ダイオード１４と、オペアンプ１３を動作させるための電源１５とから構成されている。なお、オペアンプ１３は、本発明の「増幅部」の一例である。また、帰還回路部１０は、ローパスフィルタ回路に対応する第１部分１０ａおよび高調波変換回路に対応する第２部分１０ｂから構成されている。なお、ローパスフィルタ回路に対応する第１部分１０ａは、本発明の「低域通過回路に対応する第１部分」の一例である。また、ローパスフィルタ回路に対応する第１部分１０ａは、コンデンサ１１ｃおよび抵抗１２ｄから構成されている。また、高調波変換回路に対応する第２部分１０ｂは、抵抗１２ｃおよびダイオード１４から構成されている。
【００２７】
また、本実施形態では、ローパスフィルタ回路１ａは、コンデンサ１１ａと、コンデンサ１１ｂと、コンデンサ１１ｄと、抵抗１２ａと、抵抗１２ｂと、オペアンプ１３と、上記したコンデンサ１１ｃおよび抵抗１２ｄからなる第１部分１０ａとにより構成されている。
【００２８】
また、本実施形態では、高調波変換回路１ｂは、オペアンプ１３と、高調波変換回路に対応する第２部分１０ｂとから構成されている。また、ダイオード１４は、オペアンプ１３により増幅された信号を整流するための整流機能（リミッタ機能）を有している。また、抵抗１２ｃは、ダイオード１４のリミッタ機能を調節するために設けられている。
【００２９】
また、図２に示すように、入力された信号は、信号の直流成分を除去するためのコンデンサ１１ａの一方電極に入力される。また、コンデンサ１１ａの他方電極は、抵抗１２ａの一方端に接続されている。また、抵抗１２ａの他方端は、抵抗１２ｂの一方端と、コンデンサ１１ｂの一方電極とに接続されている。また、抵抗１２ｂの他方端は、オペアンプ１３の一方入力端子に接続されている。また、オペアンプ１３の出力端子は、コンデンサ１１ｄの一方電極に接続されている。また、コンデンサ１１ｄの他方電極は、出力端子ＯＵＴに接続されている。
【００３０】
また、本実施形態では、コンデンサ１１ｃおよび抵抗１２ｄは、オペアンプ１３に対して並列接続されている。具体的には、コンデンサ１１ｃの一方電極および抵抗１２ｄの一方端は、オペアンプ１３の一方入力端子に接続されている。また、コンデンサ１１ｃの他方電極および抵抗１２ｄの他方端は、オペアンプ１３の出力端子に接続されている。
【００３１】
また、本実施形態では、抵抗１２ｃと、ダイオード１４とは直列接続され、抵抗１２ｃおよびダイオード１４は、オペアンプ１３に対して並列接続されている。具体的には、抵抗１２ｃの一方端は、オペアンプ１３の一方入力端子に接続されている。また、抵抗１２ｃの他方端は、ダイオード１４のカソード（Ｋ）に接続されている。また、ダイオード１４のアノード（Ａ）は、オペアンプ１３の出力端子に接続されている。
【００３２】
また、オペアンプ１３の他方入力端は、オペアンプ１３を動作させるための抵抗１２ｅの一方端に接続されている。また、抵抗１２ｅの他方端は、オペアンプ１３を動作させるための抵抗１２ｆの一方端と、バイアスポイント（抵抗１２ｅと抵抗１２ｆとの接続点）を交流的に接地するためのコンデンサ１１ｅの一方電極と、オペアンプ１３を動作させるための抵抗１２ｇの一方端とに接続されている。また、抵抗１２ｇの他方端は、電源１５の＋電極と、オペアンプ１３の一方電源端子とに接続されている。
【００３３】
また、コンデンサ１１ｂの他方電極と、抵抗１２ｆの他方端と、コンデンサ１１ｅの他方電極と、オペアンプ１３の他方電源端子と、電源１５の−電極とは、接地されている。
【００３４】
次に、図２を参照して、本発明の一実施形態によるスピーカ装置１００の負帰還増幅回路１の動作について説明する。
【００３５】
図２に示すように、入力された信号は、最初にコンデンサ１１ａにより信号の直流成分が除去される。直流成分が除去された信号は、抵抗１２ａを通過して、信号の一方は抵抗１２ｂに入力され、信号の他方はコンデンサ１１ｂに入力され、その後アースされる。抵抗１２ｂに入力された信号は、オペアンプ１３の一方入力端子に入力され、信号が増幅される。このとき、増幅された信号は歪みを生ずる。また、信号は、歪むことにより２倍、３倍の高調波に変換され、オペアンプ１３の出力端子から出力される。
【００３６】
また、オペアンプ１３から出力された信号の一方は、ローパスフィルタ回路に対応する第１部分１０ａであるコンデンサ１１ｃおよび抵抗１２ｄと、高調波変換回路に対応する第２部分１０ｂであるダイオード１４のアノード（Ａ）とに入力される。ローパスフィルタ回路に対応する第１部分１０ａに入力された信号は、信号の１００Ｈｚ以上を除去され、オペアンプ１３の一方入力端子に入力（帰還）される。高調波変換回路に対応する第２部分１０ｂのアノード（Ａ）に入力された信号は、整流されてカソード（Ｋ）から出力される。その後、抵抗１２ｃを通過して、オペアンプ１３の一方入力端子に入力（帰還）される。また、信号の他方は、コンデンサ１１ｄに入力され、信号の直流成分が除去される。このコンデンサ１１ｄから出力された信号は、出力端子ＯＵＴから出力される。
【００３７】
また、電源１５の＋電極および−電極は、それぞれ、オペアンプ１３の一方電源端子および他方電源端子に接続され、オペアンプ１３を動作させるための電力を供給している。また、電源１５からの電力は、抵抗１２ｇと、抵抗１２ｅとを通過してオペアンプ１３の他方入力端に入力される。また、抵抗１２ｇを通過した電力は、抵抗１２ｆに入力され、その後アースされる。
【００３８】
また、負帰還増幅回路１の出力端子ＯＵＴから出力された信号は、第１ハイパスフィルタ回路２により信号の１００Ｈｚ以下が除去されて合成回路４に出力される。また、スピーカ装置１００に入力された信号は、第２ハイパスフィルタ回路３により信号の２００Ｈｚ以下が除去されて合成回路４に出力される。また、第１ハイパスフィルタ回路２および第２ハイパスフィルタ回路３から出力された信号は、合成回路４により信号が合成されてパワーアンプ５に出力される。出力された信号は、パワーアンプ５により増幅されてスピーカ６により音に変換され出力される。また、スピーカ６から出力される音には、高調波変換回路１ｂにより変換された２倍の高調波（１６０Ｈｚ）および３倍の高調波（２４０Ｈｚ）が含まれ、その周波数の差（８０Ｈｚ）の低音も知覚される。
【００３９】
本実施形態では、上記のように、ローパスフィルタ回路１ａと、高調波変換回路１ｂとを含む、１つの負帰還増幅回路１を備えることによって、ローパスフィルタ回路１ａと、高調波変換回路１ｂとを１つの回路上として構成することができるので、入力された信号を高調波に変換するための回路構成を簡略化することができる。その結果、ローパスフィルタ回路１ａと、高調波変換回路１ｂとの回路構成が複雑化するのを抑制することができる。
【００４０】
また、本実施形態では、上記のように、１つの負帰還増幅回路１は、１つのオペアンプ１３および帰還回路部１０を含み、帰還回路部１０は、ローパスフィルタ回路に対応する第１部分１０ａと、第１部分１０ａと並列接続され高調波変換回路に対応する第２部分１０ｂとを含むことによって、低域通過回路に対応する第１部分１０ａと、高調波変換回路に対応する第２部分１０ｂとを１つの回路として構成することができる。その結果、回路構成を簡略化することができる。
【００４１】
また、本実施形態では、上記のように、低域通過回路に対応する第１部分１０ａは、コンデンサ１１ｃおよび抵抗１２ｄを含み、高調波変換回路に対応する第２部分１０ｂは、ダイオード１４を含み、コンデンサ１１ｃ、抵抗１２ｄおよびダイオード１４は、１つのオペアンプ１３に対して並列接続されていることによって、１つのオペアンプ１３を低域通過回路に対応する第１部分１０ａと、高調波変換回路に対応する第２部分１０ｂとに対して共通に用いることができるので、回路構成をより簡略化することができる。
【００４２】
また、本実施形態では、上記のように、高周波数帯域を通過させるための第１ハイパスフィルタ回路２をさらに備え、第１ハイパスフィルタ回路２は１つの負帰還増幅回路１と直列接続されるとともに、１つの負帰還増幅回路１により増幅された信号の高周波数帯域を通過させるための第１ハイパスフィルタ回路２をさらに備えることによって、低音を増強させるための周波数帯域の信号（２倍の高調波（１６０Ｈｚ）および３倍の高調波（２４０Ｈｚ））を出力させることができる。その結果、スピーカ６から出る音の低音域の出力を増強させることができる。
【００４３】
また、本実施形態では、上記のように、入力された信号の高周波数帯域を通過させるための第２ハイパスフィルタ回路３と、第１ハイパスフィルタ回路２および第２ハイパスフィルタ回路３を通過した信号を合成するための合成回路４とをさらに備え、第２ハイパスフィルタ回路３は、１つの負帰還増幅回路１および第１ハイパスフィルタ回路２と並列接続されるように構成されていることによって、第１ハイパスフィルタ回路２と、第２ハイパスフィルタ回路３とを通過した信号を合成回路４により合成して出力することにより、低音を増強させるための周波数帯域の信号を出力させることができる。その結果、スピーカ６から出る音の低音域の出力をより増強させることができる。
【００４４】
次に、上記した本実施形態の効果を確認するために行ったシミュレーションの結果について説明する。このシミュレーションでは、本実施形態に対応する回路と、比較例による回路とを比較した。
【００４５】
図３に示すように、比較例による回路は、２つのオペアンプ１３および１７を使用して、一方のオペアンプ１３を用いてローパスフィルタ回路２１ｃを構成し、他方のオペアンプ１７を用いて高調波変換回路２１ｄを構成した。また、ローパスフィルタ回路２１ｃと、高調波変換回路２１ｄとを直列接続することにより構成した。すなわち、ローパスフィルタ回路２１ｃと、高調波変換回路２１ｄとを別個の回路として別々に構成した。
【００４６】
実施形態に対応する回路では、ローパスフィルタ回路１ａは、オペアンプ１３に対して抵抗１２ｃおよびダイオード１４（実施形態の高調波変換回路に対応する第２部分１０ｂ）が並列接続されていたが（図２参照）、比較例による回路では、ローパスフィルタ回路２１ｃは、オペアンプ１３に対して、抵抗１２ｃおよびダイオード１４が並列には接続されていない。また、ローパスフィルタ回路２１ｃの回路構成は上記した点以外の構成条件は同じである。
【００４７】
また、高調波変換回路２１ｄは、抵抗１２ｃおよび１６ａ〜１６ｃと、ダイオード１４と、オペアンプ１７と、コンデンサ１８ａとから構成されている。
【００４８】
上記した比較例によるローパスフィルタ回路２１ｃおよび高調波変換回路２１ｄの動作としては、図３に示すように、入力された信号は、ローパスフィルタ回路２１ｃにより、入力された信号の低周波数帯域のみが通過される。その後、ローパスフィルタ回路２１ｃを通過した信号は、高調波変換回路２１ｄにより、基本波の２倍（１６０Ｈｚ）および３倍（２４０Ｈｚ）の高調波に変換されて出力端子ＯＵＴより出力される。
【００４９】
次に、図４を参照して、実施形態による回路および比較例による回路の出力端子ＯＵＴから出力される波形を出力レベル波形について説明する。
【００５０】
まず、比較例による回路では、図４に示すように、基本波（８０Ｈｚ）の２倍の高調波（１６０Ｈｚ）の出力は、基本波（８０Ｈｚ）の出力に対して、Ａ（３６ｄＢｍ）分だけ低下することが判明した。これに対して、実施形態に対応する回路では、２倍の高調波（１６０Ｈｚ）の出力は、基本波（８０Ｈｚ）の出力に対して、Ｂ（１６ｄＢｍ）分だけ低下することが判明した。この結果、比較例による回路よりも実施形態に対応する回路の方が、出力の減少分が小さいので、その分、２倍の高調波（１６０Ｈｚ）が効率よく発生することが判明した。
【００５１】
また、基本波（８０Ｈｚ）の３倍の高調波（２４０Ｈｚ）の出力に関しても同様に、比較例による回路では、３倍の高調波（２４０Ｈｚ）の出力は、基本波（８０Ｈｚ）の出力に対して、Ｃ分だけ低下することが判明した。また、実施形態に対応する回路では、３倍の高調波（２４０Ｈｚ）の出力は、基本波（８０Ｈｚ）の出力に対して、Ｃよりも小さいＤ分だけ低下することが判明した。この結果、比較例による回路よりも実施形態による回路の方が、出力の減少分が小さいので、その分、３倍の高調波（２４０Ｈｚ）が効率よく発生することが判明した。
【００５２】
これは、以下の理由によるものと考えられる。すなわち、実施形態による回路では、入力された信号は、ローパスフィルタ回路に対応する第１部分１０ａおよび高調波変換回路に対応する第２部分１０ｂが同一回路上に構成されているため、信号の低周波数帯域を通過させながら高調波に変換すると考えられる。このため、図４のような２倍（１６０Ｈｚ）および３倍（２４０Ｈｚ）の高調波の発生効率の良好な波形が出力されたと考えられる。これに対して、比較例による回路では、ローパスフィルタ回路２１ｃおよび高調波変換回路２１ｄが別々の回路として構成されているので、最初にローパスフィルタ回路２１ｃにより信号の低周波数帯域を通過させ、その後、通過した信号は、高調波変換回路２１ｄにより高調波に変換される。これにより、図４のような、実施形態に比べて２倍（１６０Ｈｚ）および３倍（２４０Ｈｚ）の高調波の発生効率の劣る波形が出力されたと考えられる。
【００５３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５４】
たとえば、上記実施形態では、スピーカ装置の一例として負帰還増幅回路内に低域通過回路および高調波変換回路を構成する例を示したが、本発明はこれに限らず、回路内に低域通過回路および高調波変換回路を構成することが可能であれば、負帰還増幅回路以外の帰還型増幅回路にも適用可能である。
【００５５】
また、上記実施形態では、増幅部の一例としてオペアンプを使用する例を示したが、本発明はこれに限らず、入力された信号を増幅することが可能であれば、オペアンプ以外の増幅部を使用してもよい。
【００５６】
また、上記実施形態では、高調波変換回路の一例として抵抗１２ｃを使用する例を示したが、本発明はこれに限らず、入力された信号を高調波に変換することが可能であれば、高調波変換回路に抵抗１２ｃを設けなくてもよい。
【図面の簡単な説明】
【００５７】
【図１】本発明の一実施形態によるスピーカ装置の全体構成を示すブロック図である。
【図２】本発明の一実施形態による負帰還増幅回路の回路図である。
【図３】本発明の効果を検証するために行った実験結果を説明するためのローパスフィルタ回路および高調波変換回路を示す回路図である。
【図４】本発明の効果を検証するために行った実験結果を説明するための図である。
【符号の説明】
【００５８】
１      負帰還増幅回路（帰還型増幅回路）
１ａ    ローパスフィルタ回路（低域通過回路）
１ｂ    高調波変換回路
２      第１ハイパスフィルタ回路（第１高域通過回路）
３      第２ハイパスフィルタ回路（第２高域通過回路）
４      合成回路
１０    帰還回路部
１０ａ  ローパスフィルタ回路に対応する第１部分（低域通過回路に対応する第１部分）
１０ｂ  高調波変換回路に対応する第２部分
１１ｃ  コンデンサ
１２ｄ  抵抗
１３    オペアンプ（増幅部）
１４    ダイオード
１００  スピーカ装置
【図１】
2009124452.tif 000003
【図２】
2009124452.tif 000004
【図３】
2009124452.tif 000005
【図４】
2009124452.tif 000006